(57)【要約】【課題】製造や鞄への取り付けが容易で、しかも、見栄えが悪くならず、耐久性に優れた鞄用把手及びそれを使用した鞄を提供すること。【解決手段】この発明の鞄用把手１０，１１は、基体の元の形状を扁平で握り部２の両側部３，３が略ハ字状に形成されたものとし、握り部２の表面が上方に向くように、両端部５，５の裏面を鞄７の前面８又は後面９に向けて固定することにより鞄７に取り付けられるようにしている。また、この発明の鞄７は、前記鞄用把手１０，１１を、前面８側及び後面９側にそれぞれ取り付けた鞄７であって、両鞄用把手１０，１１の握り部２，２を上下に重ねられるようにしているとともに、一方の鞄用把手１０を他方の鞄用把手１１より短いものとしている。【選択図】  図１
2004236914.tif 000002
【特許請求の範囲】
【請求項１】
基体（１）の元の形状を扁平で握り部（２）の両側部（３）（３）が略ハ字状に形成されたものとし、握り部（２）の表面（４）が上方に向くように、両端部（５）（５）の裏面（６）を鞄（７）の前面（８）又は後面（９）に向けて固定することにより鞄（７）に取り付けられるようにしていることを特徴とする鞄用把手（１０）（１１）。
【請求項２】
合成皮革のシートを、握り部（２）となる中央部が直線状で両側部（３）（３）が略ハ字状となった形状に切断することにより基体（１）が形成される請求項１記載の鞄用把手（１０）（１１）。
【請求項３】
請求項１又は２記載の鞄用把手（１０）（１１）を、前面（８）側及び後面（９）側にそれぞれ取り付けた鞄（７）であって、両鞄用把手（１０）（１１）の握り部（２）（２）を上下に重ねられるようにしているとともに、一方の鞄用把手（１０）を他方の鞄用把手（１１）より短いものとすることにより、両鞄用把手（１０）（１１）の握り部（２）（２）を上下に重ねて手に提げて持ったときに、前面（８）側又は後面（９）側に傾かないようにしていることを特徴とする鞄（７）。
【発明の詳細な説明】
【０００１】
【発明の属する技術分野】
この発明は、通学、通勤、ショッピング、旅行その他適宜の用途で携帯される鞄及びそれに取り付けられる鞄用把手に関するものである。
【０００２】
【従来の技術】
従来より、手提げ鞄用の把手として、皮革や合成皮革等からなる短い帯状のものを、握り部となる部分の表面が上方に向くように、両端部の裏面を鞄の前面又は後面に向けて固定することにより鞄に取り付けられるようにした鞄用把手がある（例えば、特許文献１参照）。
【０００３】
しかし、この従来の鞄用把手は、握り部の表面が上方に向くようにするために、中央の握り部を２つ折りにし、さらに２つ折りにした握り部に補強皮革を巻き付け、そして握り部と補強皮革の両側部に沿って縫着して一体化した構成としていた。
【０００４】
そのため、製造工程が複雑となり、しかも、中央の握り部とその両側部とが大きく捩れた状態となるため、見栄えが悪く、耐久性にも問題があった。
【０００５】
【特許文献１】
第３０１８３００号登録実用新案号公報
【０００６】
【発明が解決しようとする課題】
そこで、この発明は、製造や鞄への取り付けが容易で、しかも、見栄えが悪くならず、耐久性に優れた鞄用把手及びそれを使用した鞄を提供することを課題とする。
【０００７】
【課題を解決するための手段】
前記課題を解決するため、この発明は次のような技術的手段を講じている。
【０００８】
この発明の鞄用把手１０，１１は、基体１の元の形状を扁平で握り部２の両側部３，３が略ハ字状に形成されたものとし、握り部２の表面４が上方に向くように、両端部５，５の裏面６を鞄７の前面８又は後面９に向けて固定することにより鞄７に取り付けられるようにしている。
【０００９】
この鞄用把手１０，１１は、合成皮革のシートを、握り部２となる中央部が直線状で両側部３，３が略ハ字状に形成された形状に切断することにより基体１が形成されるものとすることができる。
【００１０】
また、この発明の鞄７は、前記鞄用把手１０，１１を、前面８側及び後面９側にそれぞれ取り付けた鞄７であって、両鞄用把手１０，１１の握り部２，２を上下に重ねられるようにしているとともに、一方の鞄用把手１０を他方の鞄用把手１１より短いものとすることにより、両鞄用把手１０，１１の握り部２，２を上下に重ねて手に提げて持ったときに、前面８側又は後面９側に傾かないようにしたものとしている。
【００１１】
【発明の実施の形態】
以下、この発明の実施形態を、図面を参照して説明する。
【００１２】
図１はこの発明の実施形態の鞄７の斜視図、図２は鞄７の右側面図、図３は両方の鞄用把手１０，１１の握り部２，２を上下に重ねた状態の鞄７の右側面図、図４は鞄用把手１０，１１の説明図、図５は一方の鞄用把手１０の説明図、図６はその握り部２の断面図、図７は他方の鞄用把手１１の説明図、図８はその握り部２の断面図である。
【００１３】
この発明の鞄７は、基体１の元の形状を扁平で握り部２の両側部３，３が略ハ字状に形成されたものとし、握り部２の表面４が上方に向くように、両端部５，５の裏面６を鞄７の前面８又は後面９に向けて固定することにより鞄７に取り付けられるようにした鞄用把手１０，１１を、前面８側及び後面９側にそれぞれ取り付けた鞄７であって、両鞄用把手１０，１１の握り部２，２を上下に重ねられるようにしているとともに、一方の鞄用把手１０を他方の鞄用把手１１より短いものとすることにより、両鞄用把手１０，１１の握り部２，２を上下に重ねて手に提げて持ったときに、前面８側又は後面９側に傾かないようにしたものである。
【００１４】
この鞄７は、合成皮革、天然皮革等適宜の素材を用いて製造されるものとしており、全体を四角形状とし、左側部の上部から上端部を通って右側部の上部に至るまで、ファスナー１２により開閉自在とし、前面８側及び後面９側には、それぞれ小収納部１３が設けられている。
【００１５】
この鞄７に取り付けられる２つの鞄用把手１０，１１は、その基体１が、厚さ３ｍｍ程度の合成皮革のシートを、握り部２となる中央部が直線状で、両側部３，３が略ハ字状の形状となるように切断することにより形成されるもので、この実施形態では、さらに握り部２に隆起部１４を設けたものとしている。また、一方の鞄用把手１０は、他方の鞄用把手１１より２センチ程度短くし、両鞄用把手１０，１１を重ねたときに、両鞄用把手１０，１１の両端部５，５が揃うようになっている。
【００１６】
鞄用把手１０，１１は、図４に示したように、鞄７に取り付ける前の元の形状が、握り部２の両側部３，３がそれぞれ２０度程度の角度で曲がった略ヘ字状の短い帯状となっている。
【００１７】
隆起部１４は、各鞄用把手１０，１１の片面側において隆起するように設けられたもので、鞄用把手１０，１１の基体１の握り部２の片面に、芯材１５を長尺方向に添え、これを前記片面側の一端側（図６中の右端側、図８中の左端側）から他方の面の一端側まで覆う薄手の合成皮革等の生地１６を当て、前記一端側を縫着することにより形成することができる。図６中の右端側、図８中の左端側が、縫着部分１７となる。
【００１８】
芯材１５は、鞄７に取り付けて握り部２を上下に重ねたときに下に来る鞄用把手１０の基体１にはその裏面６側に設け（図６）、上に来る鞄用把手１１の基体１にはその表面４側に設ける（図８）。芯材１５は、図示したような断面三角形ないし半円形の棒状で、両各鞄用把手１０，１１の握り部２，２を合わせたときに、隆起部１４，１４が断面略円形になるようにしている。
【００１９】
また、芯材１５は、木製、プラスチック製等として、硬質でしっかりと握り部２を握れるものとしたり、スポンジ等としてソフトな感触が得られるようにしたりすることができる。
【００２０】
両鞄用把手１０，１１を鞄７に取り付けるには、それぞれの両端部５，５の間隔が握り部２の長さとほぼ同じになるように曲げ、両端部５，５の各裏面６を鞄７の前面８又は後面９に向け、この両端部５，５を鞄７の前面８側又は後面９側の中央上部に、縫着や各種の固定具等により固定する。各鞄用把手１０，１１はもともと曲がった形状であるため、曲げる際に無理に力を加えて捻る必要はない。
【００２１】
このようにして鞄７に取り付けられた鞄用把手１０，１１は、握り部２，２が鞄７の上端部より上方に位置し、また、握り部２，２の表面４が上方に向く。そして、正面から見て各鞄用把手１０，１１の握り部２と両側部３，３とが約９０度の角度で曲がった態様となる。なお、握り部２と両側部３，３との角度はこれに限定されない。
【００２２】
この鞄用把手１０，１１を取り付けた鞄７は、図１、図２や、裏面６側が現れるようにした図５、図７に示したように、各鞄用把手１０，１１の各握り部２とその両側部３，３とが大きく捩れた状態とならないため、各鞄用把手１０，１１にほとんど皺がよらず、見栄えが良いとともに、耐久性も向上したものとなっており、頻繁に鞄７を上下させるような使用のしかたをしても、長期間耐えることが可能である。
【００２３】
また、両鞄用把手１０，１１を同じ長さとすると、両鞄用把手１０，１１の握り部２を上下に重ねて手に提げて持ったときに、上に来る方の鞄用把手を取り付けた側に鞄７が引っ張られ傾くことになるが、この実施形態では、下に来る一方の鞄用把手１０が上に来る他方の鞄用把手１１よりも短いため、図３に示したように、両鞄用把手１０，１１の握り部２を上下に重ねて手に提げて持ったときに、前面８側又は後面９側のいずれにも傾かないため、持ち心地がよく、快適に使用することができる。
【００２４】
【発明の効果】
この発明の鞄用把手１０，１１は、上述のような構成を有しており、製造や鞄７への取り付けが容易で、しかも、見栄えが悪くならず、耐久性に優れたものとなっている。
【００２５】
また、この発明の鞄用把手は、前記鞄用把手１０，１１を使用したものであり、一方の鞄用把手１０を他方の鞄用把手１１より短いものとすることにより、両鞄用把手１０，１１の握り部２を上下に重ねて手に提げて持ったときに、前面８側又は後面９側に傾かないようにしているため、持ち心地がよく、快適に使用することができる。
【図面の簡単な説明】
【図１】この発明の実施形態の鞄の斜視図である。
【図２】この発明の実施形態の鞄の右側面図である。
【図３】この発明の実施形態の鞄で、両方の鞄用把手の握り部を上下に重ねた状態の右側面図である。
【図４】この発明の実施形態の鞄用把手の説明図である。
【図５】この発明の実施形態の一方の鞄用把手の説明図である。
【図６】この発明の実施形態の一方の鞄用把手の握り部の断面図である。
【図７】この発明の実施形態の他方の鞄用把手の説明図である。
【図８】この発明の実施形態の他方の鞄用把手の握り部の断面図である。
【符号の説明】
１  鞄用把手の基体
２  鞄用把手の握り部
３，３  鞄用把手の両側部
４  鞄用把手の表面
５，５  鞄用把手の両端部
６  鞄用把手の裏面
７  鞄
８  鞄の前面
９  鞄の後面
１０，１１  鞄用把手
【図１】
2004236914.tif 000003
【図２】
2004236914.tif 000004
【図３】
2004236914.tif 000005
【図４】
2004236914.tif 000006
【図５】
2004236914.tif 000007
【図６】
2004236914.tif 000008
【図７】
2004236914.tif 000009
【図８】
2004236914.tif 000010